(57)【要約】【課題】  機器の仕様を国や地域で変更する必要がある場合でも、アップデート時の負担を少なくする。【解決手段】  ファームウェア用プログラムにより機能が設定される電子機器のプログラムのアップデートを行う場合に、機器が使用される国又は地域に応じた仕向けのデータを、機器に予め記憶させておき、アップデート用プログラム６１１については、全ての仕向けで共通のプログラムとするとともに、仕向け毎に異なる処理については、アップデート用プログラム６１１に付随する設定データ６１２で指示するようにし、機器が取得したアップデート用プログラム６１１で、ファームウェア用プログラムのアップデート処理を行う際に、設定データ６１２の内の、当該機器に設定された仕向け用の設定データ（６１２ａ，６１２ｂ，６１２ｃ…のいずれか）だけを、設定データ記憶用のメモリに記憶させるようにした。【選択図】      図４
2006189974.tif 000002
【特許請求の範囲】
【請求項１】
ファームウェア用プログラムにより機能が設定される電子機器のプログラムアップデート方法において、
機器が使用される国又は地域に応じた仕向けのデータを、機器に予め記憶させておき、
アップデート用プログラムについては、全ての仕向けで共通のプログラムとするとともに、仕向け毎に異なる処理については、前記アップデート用プログラムに付随する設定データで指示するようにし、
機器が取得したアップデート用プログラムで、前記ファームウェア用プログラムのアップデート処理を行う際に、前記設定データの内の、当該機器に設定された仕向け用の設定データだけを、設定データ記憶用のメモリに記憶させることを特徴とする
電子機器のプログラムアップデート方法。
【請求項２】
請求項１記載の電子機器のプログラムアップデート方法において、
前記機器に予め記憶された仕向けのデータについては、書換えできないように制限したことを特徴とする
電子機器のプログラムアップデート方法。
【請求項３】
請求項１記載の電子機器のプログラムアップデート方法において、
前記ファームウェア用プログラムと前記設定データとは、それぞれ別のメモリに記憶させるようにしたことを特徴とする
電子機器のプログラムアップデート方法。
【請求項４】
請求項１記載の電子機器のプログラムアップデート方法において、
アップデート用プログラム及び設定データは、外部から受信又は入力して機器内の所定の記憶媒体に記憶されたデータであることを特徴とする
電子機器のプログラムアップデート方法。
【請求項５】
ファームウェア用プログラムにより機能が設定される電子機器であって、機器が使用される国又は地域に応じた仕向けが設定される電子機器において、
ファームウェア用プログラムと、そのファームウェア用プログラムの中で仕向け毎に異なる処理を指示する設定データと、当該機器に設定された仕向けのデータとを記憶し、機器動作時に記憶されたプログラムが実行される不揮発性の記憶手段と、
前記記憶手段に記憶されたファームウェア用プログラムにより機器を制御し、機器が取得したアップデート用プログラムで、前記記憶手段に記憶されたファームウェア用プログラムのアップデート処理を行う際に、前記設定データの内の、当該機器に設定された仕向け用の設定データだけを、前記記憶手段に記憶させる制御手段とを備えたことを特徴とする
電子機器。
【請求項６】
請求項５記載の電子機器において、
前記記憶手段に予め記憶された仕向けのデータについては、前記制御手段が書換えできないように制限したことを特徴とする
電子機器。
【請求項７】
請求項５記載の電子機器において、
前記ファームウェア用プログラムを記憶する記憶手段と、前記設定データを記憶する記憶手段とは、それぞれ別の記憶手段であることを特徴とする
電子機器。
【請求項８】
請求項５記載の電子機器において、
外部からデータを受信又は入力される入力部を備え、
前記入力部に入力したアップデート用プログラム及び設定データを、機器内の所定の記憶媒体に記憶させて取得することを特徴とする
電子機器。
【発明の詳細な説明】
【技術分野】
【０００１】
本発明は、例えば、記録可能なＤＶＤ（Digital Video Disc又はDigital Versatile Disc）等を記録媒体として用い、これに動画像などを記録するビデオカメラレコーダなどに適用して好適な電子機器、及びその機器のプログラムアップデート方法に関する。
【背景技術】
【０００２】
近年、記録媒体としてＤＶＤなどの大容量のディスク記録媒体を用いる映像記録再生装置が各種開発されている。また、ビデオカメラと一体化されたディスク記録再生装置（いわゆるビデオカメラレコーダ）についても各種製品化されている。
【０００３】
このような映像記録再生装置が扱う記録（再生）可能な媒体の種類として、種々のものが存在する。映像データや音声データの記録フォーマットについても各種存在し、１台の記録再生装置で複数のフォーマットに対応できるようにしたものも多々ある。
【０００４】
しかしながら、また新しい種類の媒体や記録フォーマットについては、今後も開発される可能性があり、既に発売された製品で、新しい種類の媒体や記録フォーマットに対応できるようにするためには、映像記録再生装置を作動させるように設定されたファームウェアとしてのソフトウェアを、アップデートさせる更新処理が必要である。
【０００５】
ソフトウェアのアップデートは、例えば該当する機器を製造メーカが回収して、工場やサービスセンタに用意されたアップデート専用の端末に接続して行うようにすれば、比較的高度なアップデート処理が可能である。ところが、ソフトウェアのアップデートを行うために、いちいち機器をサービスセンタに持ち込むようにするのは、ユーザにとって面倒であり、あまり効率のよいアップデート処理であるとは言えない。
【０００６】
このため、例えばコンピュータ装置に接続される周辺機器や、携帯電話端末などの、インターネットなどのネットワークに接続することが比較的簡単な機器においては、アップデート用のデータを機器で受信させて、その受信したアップデート用のデータでソフトウェアを更新させることが行われている。特許文献１には、コンピュータ装置用の周辺機器でのファームウェアのアップデート処理についての記載がある。
【特許文献１】特開２００１−５１８４４号公報
【発明の開示】
【発明が解決しようとする課題】
【０００７】
ところで、この種の電子機器においては、機器が使用される国や地域ごとの仕向けによって、動作状態や設定などを変更することがあり、ファームウェア用のプログラムについても仕向けで変更するようにしてある。例えば、使用する国によって、表示される言語を変更させるなど、種々の設定変更が必要である。
【０００８】
ここで、ファームウェア用のプログラムそのものを、仕向け毎に個別に用意させると、製品を設計する段階で、多数のプログラムを用意する必要があるので、例えばファームウェア用のプログラムそのものは共通化し、機器毎に設定された仕向けのデータで、プログラムを読み出す処理を変更させるようにしている場合がある。ところが、ファームウェア用のプログラムのバージョンアップ時にも、各仕向け用のプログラムを共通化し、仕向けの設定だけで変更可能にすると、プログラムのバージョンアップで実現できる機能が多岐に渡る場合には、プログラムの修正個所が非常に多くなってしまい、アップデートデータの作成に、非常に手間がかかってしまう問題がある。従って、機器の仕様を国や地域で変更する必要がある場合には、アップデート用プログラムの作成のための負担が大きい問題があった。
【０００９】
なお、ここまでの説明では、ビデオカメラレコーダを例としてソフトウェアのアップデートを行う場合について説明したが、その他のファームウェア化されたソフトウェアが組み込まれた各種電子機器をアップデートさせる場合にも、同様な問題がある。
【００１０】
本発明はかかる点に鑑みてなされたものであり、機器の仕様を国や地域で変更する必要がある場合でも、アップデート時の負担を少なくすることを目的とする。
【課題を解決するための手段】
【００１１】
本発明は、ファームウェア用プログラムにより機能が設定される電子機器のプログラムのアップデートを行う場合に、機器が使用される国又は地域に応じた仕向けのデータを、機器に予め記憶させておき、アップデート用プログラムについては、全ての仕向けで共通のプログラムとするとともに、仕向け毎に異なる処理については、アップデート用プログラムに付随する設定データで指示するようにし、機器が取得したアップデート用プログラムで、ファームウェア用プログラムのアップデート処理を行う際に、設定データの内の、当該機器に設定された仕向け用の設定データだけを、設定データ記憶用のメモリに記憶させるようにしたものである。
【００１２】
このようにしたことで、アップデート用プログラムとは別の設定データによって、仕向けごとの変更点を詳細に指定できるようになる。
【発明の効果】
【００１３】
本発明によると、アップデート用プログラムとは別の設定データによって、仕向けごとの変更点を詳細に指定できるようになり、多数の仕向けでファームウェア用プログラムを共用化した場合であっても、ファームウェア用プログラムそのもののアップデート時の変更については比較的少ない変更に抑えることが可能になり、アップデート時の負担を軽減できる。
【００１４】
この場合、機器に予め記憶された仕向けのデータについては、書換えできないように制限したことで、アップデートによるソフトウェアの更新などの際に、機器の仕向けを変更することができないように制限できる。
【００１５】
また、ファームウェア用プログラムと設定データとは、それぞれ別のメモリに記憶させるようにしたことで、ファームウェア用プログラムと設定データとが、それぞれの別のメモリで適正に管理されるようになる。
【００１６】
また、アップデート用プログラム及び設定データは、外部から受信又は入力して機器内の所定の記憶媒体に記憶されたデータであることで、外部から受信又は入力したアップデート用プログラムに基づいたアップデートを良好に行えるようになる。
【発明を実施するための最良の形態】
【００１７】
以下、本発明の一実施の形態を、添付図面を参照して説明する。
【００１８】
本例においては、ファームウェア化されたソフトウェアが組み込まれた電子機器の例として、ビデオカメラレコーダに適用した例としてある。まず、図１を参照して、本例のビデオカメラレコーダの構成について説明する。本例のビデオカメラレコーダ１００は、記録（記憶）媒体としてＤＶＤと称されるディスク記録媒体を用いる映像記録再生装置としてあり、撮像を行うカメラ部１０と、ディスクへの記録及び再生を行う記録再生部２０とを備える。
【００１９】
カメラ部１０は、レンズなどで構成される光学系１１と、その光学系１１で結像した像光を電気信号に変換するイメージャ部１２と、イメージャ部１２で得られた撮像信号を所定のフォーマットのデジタル映像データとする撮像処理部１３とを備える。また、マイクロフォン１４と音声処理部１５とを備えて、マイクロフォン１４が拾った音声信号を音声処理部１５でデジタルオーディオデータとする処理が行われる。このカメラ部１０での映像及び音声の処理動作は、制御部３０からの指令に基づいた制御で実行される。即ち、制御部３０内のヒューマンインターフェイス制御部３２からの指令で、撮像や音声の取り込みが制御され、信号系制御部３３からの指令で、映像や音声の処理状態が設定される。映像データについては、動画データとして取り込む場合と静止画データとして取り込む場合があり、それぞれで処理状態が異なる。
【００２０】
カメラ部１０が出力するデジタル映像データ及びデジタル音声データは、記録再生部２０内の符号化／復号化部２１に供給して、記録用に符号化する。例えば、動画の記録を行う際には、映像データと音声データを、ＭＰＥＧ(Moving Picture Experts Group)２方式で符号化する。映像データを静止画として記録する際には、ＪＰＥＧ(Joint Photographic Experts Group) 方式で符号化する。符号化されたデータは、ディスクへの記録が行われるまでの間、符号化／復号化部２１に接続されたバッファメモリ２４に一時蓄積させる。
【００２１】
バッファメモリ２４に蓄積された符号化されたデータは、記録されるタイミングになると、ディスク記録再生部２２に読み出されて、ディスク２３に記録するための処理が行われて、図示しない光学ピックアップからのレーザ光の照射で、ディスク２３にデータを記録する。また、ディスク２３に記録されたデータは、ディスク記録再生部２２で読み出されて符号化／復号化部２１に送られて、ＭＰＥＧ２方式からの復号化が行われ、復号された映像データ及び音声データが、入出力処理部２５に送られて、端子部２６から外部に出力される。記録再生部２０での記録や再生の処理動作は、制御部３０からの指令に基づいた制御で実行される。即ち、制御部３０内のディスク制御部３１の制御で、ディスクへの記録や再生が実行される。
【００２２】
端子部２６としては、アナログの映像信号及び音声信号として入力及び出力を行う端子の他に、デジタルデータとして入力及び出力を行う端子も備える。デジタルデータ用の端子としては、例えば  ＩＥＥＥ（The Institute of Electrical and Electronics Engineers ）１３９４方式の規格の端子（ポート）、ＵＳＢ（Universal Serial Bus）規格の端子（ポート）などがあり、該当する規格の端子を備えた映像機器やコンピュータ装置などと映像データや音声データのやりとりが行える。なお、コンピュータ装置などの情報処理装置と接続して、各種データをこのビデオカメラレコーダが受信する場合もある。受信するデータとしては、例えばビデオカメラレコーダの内部のプログラムをアップデートするためのプログラムがある。データを受信した場合には、入出力処理部２５から制御部３０側に送られる。
【００２３】
制御部３０の構成としては、それぞれが制御動作を行うマイクロコンピュータで構成された、ディスク制御部３１とヒューマンインターフェイス制御部３２と信号系制御部３３と表示制御部３４とを備える。ヒューマンインターフェイス制御部３２には、操作キーやタッチパネルなどの操作入力部４１からの操作入力データが供給され、その操作入力に基づいて、ビデオカメラレコーダの各部の動作状態を対応した状態に制御する。また、発光ダイオードなどで構成されたパイロットランプ４２の点灯の制御を、ヒューマンインターフェイス制御部３２が行うようにしてある。パイロットランプ４２は、録画中であることを示す録画ランプとして使用されるが、本例においては後述するプログラムをアップデート時にも点灯させるようにしてある。
【００２４】
信号系制御部３３は、カメラ部１０や記録再生部２０での信号の処理経路などを設定する制御が行われる。表示制御部３４は、ヒューマンインターフェイス制御部３２からの指令に基づいて、この機器がモニタ用として備える表示部４３での表示を制御する。表示部４３は、例えば液晶表示パネルで構成されて、撮影映像や再生映像を画像として表示させる。また、ヒューマンインターフェイス制御部３２からの指令に基づいた表示制御部３４の制御で、各種メッセージなどを、画像中に文字や図形でＯＳＤ（On Screen Display）表示させるようにしてある。ＯＳＤ表示させるために必要な文字や図形のデータについては、表示制御部３４が備えるメモリ（図示せず）に予め用意してある。文字や図形また本例の表示部４３の表示画面上は、タッチパネルとして構成してあり、表示部４３の表示画面上をユーザが触れることで、表示された機能の操作が行える。
【００２５】
ディスク制御部３１には、このディスク制御部３１での制御動作を行うためのプログラムが記憶されたフラッシュメモリ５１が接続してある。このフラッシュメモリ５１に記憶されたプログラムで、ディスク制御部３１が制御できる機能が決まる。
【００２６】
ヒューマンインターフェイス制御部３２には、このヒューマンインターフェイス制御部３２などでの処理のためにデータを一時蓄積するＳＤＲＡＭ６１と、ヒューマンインターフェイス制御部３２での制御動作を行うためのプログラムが記憶されたフラッシュメモリ６２と、設定データなどが記憶されたＥＥＰＲＯＭ６３とが接続してある。なお、フラッシュメモリ６２には、例えば図３に示すように、プログラムをロードさせるためのプログラム（プログラムＡ）と、実際にファームウェアとして機能するソフトウェアを構成するプログラム（プログラムＢ）とが格納してある。また図３に示すように、本例のＥＥＰＲＯＭ６３には、仕向けデータの保存領域が用意されるとともに、設定データを記憶させるようにしてある。この設定データは、プログラムＢを展開させるのに必要なデータであり、プログラムＢをアップデートさせる際には、設定データについても更新される場合がある。ＥＥＰＲＯＭ６３に記憶される設定データそのものは、機器の仕向けで、別のデータとなる。これらのデータの対応については、後述する。
【００２７】
フラッシュメモリ６２に記憶されたプログラムは、通常の動作状態ではプログラムＢが実行され、ファームウェア用のプログラムをアップデート時には、ロード用のプログラムＡが起動される。各制御部３１，３２に接続されているフラッシュメモリ５１，６２やＥＥＰＲＯＭ６３については、電源が供給されない状態でも記憶データが消失しない不揮発性の記憶手段であり、各制御部３１，３２の制御でデータの書き換えができる。但し、仕向けデータの保存領域に記憶された仕向けデータについては、書き換えができないように制限してある。
【００２８】
また、本例の制御部３０は、メモリカードインターフェイス部３５を備えて、ビデオカメラレコーダのカードスロットに装着されたメモリカード４４と、レコーダ内の各部とデータ転送が可能な構成としてある。メモリカード４４には、例えば撮影した静止画像データを記憶させることができる。
【００２９】
このように構成される本例のビデオカメラレコーダ１００は、製品出荷時には、ディスク制御部３１及びヒューマンインターフェイス制御部３２に接続されたフラッシュメモリ５１及び６２に、ファームウェア用のプログラムが予め記憶させてある。また、ヒューマンインターフェイス制御部３２に接続されたＥＥＰＲＯＭ６３には、この機器１００の仕向け（いずれの国又は地域向けの製品であるか）により、プログラム処理の実行状態を決める設定データが記憶させてある。機器１００の仕向けで、機器作動時に表示部４３に表示される文字の言語などが対応したものに設定される。フラッシュメモリ５１及び６２に記憶されるファームウェア用のプログラムそのものは、どの仕向けであっても共通である。なお、本例の場合には、仕向けデータそのものは、ＥＥＰＲＯＭ６３に記憶させてあり、ヒューマンインターフェイス制御部３２がその記憶を書換えできないように制限してあり、製品出荷時にメーカで決められた仕向けをユーザ操作では変更できないようにしてある。
【００３０】
ディスク制御部３１及びヒューマンインターフェイス制御部３２に接続されたフラッシュメモリ５１及び６２に記憶されたファームウェア用のプログラムと、ＥＥＰＲＯＭ６３に記憶された設定データは、この機器に入力（受信）させたアップデート用のプログラムで修正できるようにしてある。
【００３１】
次に、このファームウェア用のプログラムをアップデートする際の処理について説明する。図２は、ファームウェア用のプログラムをアップデートする際に、該当するアップデート用プログラムを、ビデオカメラレコーダ１００でダウンロードするための構成例である。図２に示すように、例えばビデオカメラレコーダ１００を、ユーザ側で用意されたパーソナルコンピュータ装置２００に接続する。このときの接続としては、例えばビデオカメラレコーダ１００に用意された端子部２６のいずれか（例えばＵＳＢ端子）を使用する。また、ビデオカメラレコーダ１００のディスク装着部には、データ記録が可能なディスク２３を装着しておく。そして、ビデオカメラレコーダ１００が接続されたコンピュータ装置２００では、インターネット４００を経由して、アップデート用プログラムを提供しているサーバ３００にアクセスし、該当するアップデート用プログラムをコンピュータ装置２００にダウンロードさせる。サーバ３００側で用意されているアップデートデータとしては、例えば、ディスク制御用プログラムのアップデートデータと、ヒューマンインターフェイス制御用プログラムのアップデートデータと、設定データとがある。各プログラムのアップデートデータについては、各仕向けで共通のデータであり、設定データについては、後述するように、機器の仕向け毎に個別に用意されたデータであり、機器に設定される全ての仕向けの設定データが一括してダウンロードされる。
【００３２】
コンピュータ装置２００にダウンロードされたアップデート用データは、ビデオカメラレコーダ１００のアップデートデータの入力用の操作（例えばメニュー画面を使用した操作）で、ビデオカメラレコーダ１００に入力される。本例の場合、ビデオカメラレコーダ１００に入力されたアップデート用データは、ディスク制御部３１の制御で、ディスク２３に記録（記憶）させる。
【００３３】
このディスク２３へのアップデート用データの記録が完了すると、例えば所定の操作でアップデート処理が実行される。なお、図２の例では、アップデート用データを、ネットワークを経由してダウンロードする処理を示したが、例えば、ビデオカメラレコーダ１００の製造メーカが、アップデート用データが記録されたディスクをユーザに配布し、そのディスクを装着してアップデートを開始させるようにしてもよい。
【００３４】
アップデート処理としては、まず、ディスク制御部３１が、装着されたディスク２３に、アップデート用のデータが記録されていることを確認すると、そのアップデートするためのデータが記録されたディスク２３から、ヒューマンインターフェイス制御部３２に接続されたＳＤＲＡＭ６１に、アップデート用データを読み出す。
【００３５】
本例の場合には、図４に示すように、ヒューマンインターフェイス制御部用のファームウェアとディスク制御部用のファームウェアをアップデートするプログラム６１１と、アップデートされたプログラムを実行する際に必要な新たな設定データ６１２とが、ディスク２３から読み出されて、ＳＤＲＡＭ６１に一時記憶される。
【００３６】
ここで、設定データについては、図４に示すように、機器の仕向け毎に個別に用意してあり、ＳＤＲＡＭ６１には全ての仕向け用の設定データが転送される。即ち、例えば図４に示すように、日本用設定データ６１２ａ，米国用設定データ６１２ｂ，カナダ用設定データ６１２ｃ，………と、この機器で設定可能な仕向けの数だけ個別に設定データを用意してある。
【００３７】
このようにＳＤＲＡＭ６１に読み出された後には、例えば図５のフローチャートに従った処理で、アップデートが実行される。即ち、まずＥＥＰＲＯＭ６３内の仕向けデータの保存領域（図３）に記憶された仕向けデータをヒューマンインターフェイス制御部３２が確認し（ステップＳ１１）、その仕向けデータと同じ国又は地域の設定データを、ＳＤＲＡＭ６１に記憶された設定データの中から抽出して、その抽出した国又は地域の設定データで、ＥＥＰＲＯＭ６３の記憶データを更新させる（ステップＳ１２）。
【００３８】
そして、ＳＤＲＡＭ６１に記憶されたアップデート用プログラムの内の、ディスク制御部用ファームウェアのアップデートプログラムを使用して、ディスク制御部３１に接続されたフラッシュメモリ５１内のファームウェア用プログラムをアップデートし、ヒューマンインターフェイス制御部用ファームウェアのアップデートプログラムを使用して、ヒューマンインターフェイス制御部３２に接続されたフラッシュメモリ６２内のファームウェア用プログラムをアップデートする（ステップＳ１３）。
【００３９】
このようにして、本例のビデオカメラレコーダのファームウェア用のプログラムは更新され、例えば機器を再起動させることで、更新されたファームウェアによる制御で使用できるようになる。ここで、例えばフラッシュメモリ６２に記憶されたファームウェア用プログラムを展開させて実行する際には、ＥＥＰＲＯＭ６３に記憶された設定データを参照して展開作業が行われ、この機器の仕向け用のファームウェアとして機能するようになる。例えば、表示部４３で表示される文字が、対応した言語の文字となる。
【００４０】
このように仕向け毎に設定データでファームウェアを展開する際の処理を変更することで、ファームウェア用のプログラムについては、どの仕向けであっても共通でよい。そして、ファームウェアのアップデート時に、そのアップデート用のプログラムに付随した設定データで、機器に記憶された設定データについても更新させるようにしたので、多数の仕向けが存在する場合でも、ファームウェア用プログラムのアップデート用データそのものは、それほど仕向けが多数あることを考慮しないで比較的簡単に作成でき、アップデート時の負担をそれだけ軽減できる。仕向けごとの変更点は、全て設定データで対処されれば良い。
【００４１】
また、本例の場合には、ファームウェア用のプログラムと設定データとを別々のメモリ（記憶手段）に記憶させるようにしたので、それぞれのデータが別々に管理され、良好にデータ管理が行える。
【００４２】
なお、ここまで説明した実施の形態では、ビデオカメラレコーダのファームウェアを更新する場合について説明したが、ファームウェア用プログラムを更新可能な機器であれば、その他の電子機器のファームウェア用プログラム更新に適用してもよい。また、上述した実施の形態では、ビデオカメラレコーダに装着されたディスクに、一旦、アップデート用のプログラムを記録させてから、その記録されたプログラムを読み出して、アップデートさせるようにしたが、例えば、機器内のメモリに外部から直接ダウンロードさせるようにしてもよい。或いは、メモリカードなどのその他の記憶媒体（記録媒体）を、アップデート用プログラムの記憶に使用してもよい。
【００４３】
また、上述した実施の形態で図１に示した制御部の構成については、一例を示したものであり、その他の制御構成の機器にも適用可能である。フラッシュメモリなどの各記憶手段の構成についても、物理的に制御手段ごとに個別の記憶手段を用意する構成とする代わりに、１つの記憶手段の記憶領域を、各制御手段で分けて使用して、実質的に図１の構成と同一になるようにしてもよい。
【図面の簡単な説明】
【００４４】
【図１】本発明の一実施の形態による電子機器（ビデオカメラ）の例を示す構成図である。
【図２】本発明の一実施の形態によるデータのダウンロード状態の例を示す説明図である。
【図３】本発明の一実施の形態によるフラッシュメモリのデータ書込み構成例を示す説明図である。
【図４】本発明の一実施の形態によるアップデート用データの構成例を示した説明図である。
【図５】本発明の一実施の形態によるアップデート処理例を示したフローチャートである。
【符号の説明】
【００４５】
１０…カメラ部、１１…光学系、１２…イメージャ部、１３…撮像処理部、１４…マイクロフォン、１５…音声処理部、２０…記録再生部、２１…符号化／復号化部、２２…ディスク記録再生部、２３…ディスク、２４…バッファメモリ、２５…入出力処理部、２６…端子部、３０…制御部、３１…ディスク制御部、３２…ヒューマンインターフェイス制御部、３３…信号系制御部、３４…表示制御部、３５…メモリカードインターフェイス部、４１…操作入力部、４２…パイロットランプ、４３…表示部、４４…メモリカード、５１…フラッシュメモリ、６１…ＳＤＲＡＭ、６２…フラッシュメモリ、６３…ＥＥＰＲＯＭ、１００…ビデオカメラレコーダ、２００…パーソナルコンピュータ装置、３００…サーバ、４００…インターネット、６１１…アップデート用プログラム、６１２…設定データ、６１２ａ…日本用設定データ、６１２ｂ…米国用設定データ、６１２ｃ…カナダ用設定データ
【図１】
2006189974.tif 000003
【図２】
2006189974.tif 000004
【図３】
2006189974.tif 000005
【図４】
2006189974.tif 000006
【図５】
2006189974.tif 000007